(57)【要約】  表示部の走査信号線が複数本ずつグループ（Ｇｒ１，Ｇｒ２・・・）とされるとともに各グループが順に選択され、選択されたグループに属する走査信号線が順次水平走査されるのに対応して順次同極性の信号電位がデータ信号線に供給される液晶表示装置であって、前後して選択される前グループと後グループとで上記信号電位の極性が反転するとともに、前グループの最後の水平走査に対応する水平走査期間と後グループでの最初の水平走査に対応する水平走査期間との間にｎ個のダミー走査期間（Ｄａ，Ｄｂ，・・・の期間）が挿入され、各ダミー走査期間において、前グループよりも後に選択されるグループに属するいずれか１本の走査信号線がダミー走査されることによってこの走査信号線が所定期間アクティブとされた後に非アクティブ化して、走査信号線駆動回路の負荷状態を揃える。これにより、データ信号線をブロック反転駆動した場合の横縞状のムラを低減させることができる。
2010061685.tif 000002
【特許請求の範囲】
【請求項１】
表示部の走査信号線が複数本ずつグループとされるとともに各グループが順に選択され、選択されたグループに属する走査信号線が順次水平走査されるのに対応して順次同極性の信号電位がデータ信号線に供給される液晶表示装置であって、
前後して選択される前グループと後グループとで上記信号電位の極性が反転するとともに、前グループの最後の水平走査に対応する水平走査期間と後グループでの最初の水平走査に対応する水平走査期間との間にダミー走査期間が挿入され、
該ダミー走査期間に、前グループよりも後に選択されるグループに属する走査信号線がダミー走査されることによって該走査信号線が所定期間アクティブとされた後に非アクティブ化されることを特徴とする液晶表示装置。
【請求項２】
ダミー走査期間には、ダミー電位がデータ信号線に供給されることを特徴とする請求項１記載の液晶表示装置。
【請求項３】
ダミー電位の極性は、後グループでの上記信号電位の極性と同一であることを特徴とする請求項２記載の液晶表示装置。
【請求項４】
各走査信号線の水平走査に対応する映像データが水平走査の順に並べられるとともに、前グループの最後の水平走査に対応する映像データと後グループでの最初の水平走査に対応する映像データとの間にｎ個のダミーデータが挿入され、
上記信号電位は映像データに対応する電位であり、ダミー電位はダミーデータに対応する電位であることを特徴とする請求項２に記載の液晶表示装置。
【請求項５】
上記ダミーデータは、ダミー走査される走査信号線のダミー走査後直近の水平走査に対応する映像データと同一であることを特徴とする請求項４記載の液晶表示装置。
【請求項６】
上記ダミーデータは、ダミー走査される走査信号線のダミー走査前直近の水平走査に対応する映像データと同一であることを特徴とする請求項４記載の液晶表示装置。
【請求項７】
水平走査期間の開始および水平走査の開始の時間差とダミー走査期間の開始およびダミー走査の開始の時間差とが等しく、水平走査の終了および水平走査期間の終了の時間差とダミー走査の終了およびダミー走査期間の終了の時間差とが等しくなっていることを特徴とする請求項１〜６のいずれか１項に記載の液晶表示装置。
【請求項８】
前グループの最後の水平走査に対応する水平走査期間と後グループでの最初の水平走査に対応する水平走査期間との間に複数のダミー走査期間が挿入されており、
ダミー走査期間ごとに、異なる走査信号線がダミー走査されることを特徴とする請求項１〜７のいずれか１項に記載の液晶表示装置。
【請求項９】
前グループの最後の水平走査に対応する水平走査期間と後グループでの最初の水平走査に対応する水平走査期間との間に複数のダミー走査期間が挿入されており、
各ダミー走査期間に、同一の走査信号線がダミー走査されることを特徴とする請求項１〜７のいずれか１項に記載の液晶表示装置。
【請求項１０】
ダミー走査される走査信号線は、後グループに属していることを特徴とする請求項１〜９のいずれか１項に記載の液晶表示装置。
【請求項１１】
ダミー走査される走査信号線に、後グループで最初に水平走査される走査信号線が含まれていることを特徴とする請求項１〜１０のいずれか１項に記載の液晶表示装置。
【請求項１２】
ダミー走査される走査信号線に、後グループよりも後に選択されるグループに属する走査信号線が含まれていることを特徴とする請求項１〜１０のいずれか１項に記載の液晶表示装置。
【請求項１３】
各走査信号線は自段に対応する水平走査の開始に同期してアクティブ化され、自段に対応する水平走査の終了に同期して非アクティブ化されることを特徴とする請求項１〜１２のいずれか１項に記載の液晶表示装置。
【請求項１４】
各走査信号線は自段に対応する水平走査直前の、水平走査あるいはダミー走査の開始に同期してアクティブ化され、自段に対応する水平走査の終了に同期して非アクティブ化されることを特徴とする請求項１〜１２のいずれか１項に記載の液晶表示装置。
【請求項１５】
ダミー走査される走査信号線は、自段に対応するダミー走査の開始に同期してアクティブ化され、自段に対応するダミー走査の終了に同期して非アクティブ化されることを特徴とする請求項１３記載の液晶表示装置。
【請求項１６】
ダミー走査される走査信号線は、自段に対応するダミー走査直前の、水平走査あるいはダミー走査の開始に同期してアクティブ化され、自段に対応するダミー走査の終了に同期して非アクティブ化されることを特徴とする請求項１４記載の液晶表示装置。
【請求項１７】
走査信号線をアクティブ化するためのゲートパルスの幅が一水平走査期間に等しいことを特徴とする請求項１３または１５記載の液晶表示装置。
【請求項１８】
走査信号線をアクティブ化するためのゲートパルスの幅が一水平走査期間の２倍に等しいことを特徴とする請求項１４または１６記載の液晶表示装置。
【請求項１９】
上記水平走査期間とダミー走査期間とが等しいことを特徴とする請求項１〜１８のいずれか１項に記載の液晶表示装置。
【請求項２０】
表示部内の所定の走査信号線を数えはじめの１番目の走査信号線とした場合に、上記前グループおよび後グループの一方には奇数番目の走査信号線のみが含まれ、他方には偶数番目の走査信号線のみが含まれることを特徴とする請求項１〜１９のいずれか１項に記載の液晶表示装置。
【請求項２１】
表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
最初に選択されるグループは最上流ブロックに含まれる奇数番目の走査信号線で構成されるか、あるいは最上流ブロックに含まれる偶数番目の走査信号線で構成され、
最後に選択されるグループは最下流ブロックに含まれる奇数番目の走査信号線で構成されるか、あるいは最下流ブロックに含まれる偶数番目の走査信号線で構成され、
その他のグループは、隣り合う２つのブロックに含まれる偶数番目の走査信号線で構成されるか、あるいは隣り合う２つのブロックに含まれる奇数番目の走査信号線で構成されるとともに、上流側のグループから順に選択されることを特徴とする請求項２０に記載の液晶表示装置。
【請求項２２】
表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
各ブロックに含まれる奇数番目の走査信号線を前グループとするとともに偶数番目の走査信号線を後グループとして最上流ブロックに含まれるグループから順に最下流ブロックに含まれるグループまで選択されるか、あるいは各ブロックに含まれる偶数番目の走査信号線を前グループとするとともに奇数番目の走査信号線を後グループとして最上流ブロックに含まれるグループから順に最下流ブロックに含まれるグループまで選択されることを特徴とする請求項２０に記載の液晶表示装置。
【請求項２３】
表示部における所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
各ブロックに含まれる走査信号線がグループ化され、最上流ブロックのグループから順に最下流ブロックのグループまで選択されることを特徴とする１〜１９のいずれか１項に記載の液晶表示装置。
【請求項２４】
複数の走査信号線と、複数のデータ信号線とを備え、複数の水平走査期間からなる第１期に、各データ信号線に対して第１極性の信号電位を供給する一方、該第１期に続く、連続する複数の水平走査期間からなる第２期に、各データ信号線に対して第２極性の信号電位を供給し、第１期と第２期との間に、各水平走査期間にアクティブとする走査信号線と同数の走査信号線を所定期間アクティブとした後に非アクティブ化するダミー走査期間が設けられていることを特徴とする液晶表示装置。
【請求項２５】
上記ダミー走査期間にアクティブとした走査信号線を、第２期内または第２期後の水平走査期間に、所定期間アクティブとした後に非アクティブ化することを特徴とする請求項２４記載の液晶表示装置。
【請求項２６】
上記ダミー走査期間にアクティブとした走査信号線を、第２期内の、１番目以外の水平走査期間に、所定期間アクティブとした後に非アクティブ化することを特徴とする請求項２５記載の液晶表示装置。
【請求項２７】
上記データ信号線駆動回路は、ダミー走査期間に、各データ信号線に対して第２極性のダミー電位を供給することを特徴とする請求項２４記載の液晶表示装置。
【請求項２８】
上記走査信号線駆動回路は飛び越し走査を行うことを特徴とする請求項２４記載の液晶表示装置。
【請求項２９】
表示部の走査信号線を複数本ずつグループとするとともに各グループを順に選択し、選択したグループに属する走査信号線を順次水平走査するのに対応して順次同極性の信号電位をデータ信号線に供給する液晶表示装置の駆動方法であって、
前後して選択される前グループと後グループとで上記信号電位の極性を反転させるとともに、前グループの最後の水平走査に対応する水平走査期間と後グループでの最初の水平走査に対応する水平走査期間との間にダミー走査期間を挿入し、
該ダミー走査期間に、前グループよりも後に選択するグループに属する走査信号線をダミー走査することよってこの走査信号線を所定期間アクティブとした後に非アクティブ化させることを特徴とする液晶表示装置の駆動方法。
【請求項３０】
請求項１〜２８のいずれか１項に記載の液晶表示装置と、テレビジョン放送を受信するチューナ部とを備えることを特徴とするテレビジョン受像機。
【発明の詳細な説明】
【技術分野】
【０００１】
本発明は、データ信号線に供給する信号電位の極性を複数水平走査期間ごとに反転させる駆動（ブロック反転駆動）に関する。
【背景技術】
【０００２】
液晶表示装置は、高精細、薄型、軽量および低消費電力等の優れた特長を有し、近年その市場規模が急速に拡大している。この液晶表示装置においては、データ信号線に供給する信号電位の極性を一水平走査期間ごとに反転させるドット反転駆動が広く採用されてきた。しかしながら、ドット反転駆動ではデータ信号線の極性反転周波数が高くなって画素充電率の低下や消費電力増大といった問題があることから、例えば特許文献１に記載のように、データ信号線に供給する信号電位の極性を複数水平走査期間ごとに反転させるブロック反転駆動が提案されている。このブロック反転駆動では、ドット反転駆動に比べて画素充電率の向上や消費電力および発熱量の抑制を図ることができる。【０００３】
ここで特許文献１には、図３５に示すように、ブロック反転駆動における極性反転直後にダミー走査期間を挿入する構成が開示されている。この構成によれば、極性反転直後にあたるデータ（ｎ＋２）には、プリチャージ用のダミー走査期間（Ｈ３）と本チャージ（書き込み）用の水平走査期間（Ｈ４）とが割り当てられることになり、データ（ｎ＋２）に対応する画素の充電率を高めることができる。
【先行技術文献】
【特許文献】
【０００４】
【特許文献１】日本国公開特許公報「特開２００１−５１２５２号公報（２００１年２月２３日公開）」
【発明の概要】
【発明が解決しようとする課題】
【０００５】
しかしながら、本願発明者らは図３５の構成には以下の問題があることを見出した。例えば、１本の走査信号線がアクティブとなっているときの走査信号線駆動回路の負荷をＬｙ、２本の走査信号線がアクティブとなっているときの走査信号線駆動回路の負荷をＬｚとすれば、水平走査期間Ｈ１では走査信号線駆動回路の負荷がＬｚ、水平走査期間Ｈ２およびＨ３では走査信号線駆動回路の負荷がＬｙ、水平走査期間Ｈ４およびＨ５では走査信号線駆動回路の負荷がＬｚとなっている。【０００６】
したがって、水平走査期間Ｈ２におけるデータ（ｎ＋１）の書き込みのための走査に関して、走査前は走査信号線駆動回路の負荷がＬｚで、走査中は走査信号線駆動回路の負荷がＬｙとなり、また、水平走査期間Ｈ４におけるデータ（ｎ＋２）の書き込みのための走査に関して、走査前は走査信号線駆動回路の負荷がＬｙで、走査中は走査信号線駆動回路の負荷がＬｚとなり、また、水平走査期間Ｈ５におけるデータ（ｎ＋３）の書き込みのための走査に関して、走査前は走査信号線駆動回路の負荷がＬｚで、走査中も走査信号線駆動回路の負荷がＬｚとなる。【０００７】
このように、各走査について、その走査前や走査中の走査信号線駆動回路の負荷にばらつきがあると、データ（ｎ＋１）、データ（ｎ＋２）およびデータ（ｎ＋３）が同一であっても、画素に書き込まれた電位（ひいては表示状態）にばらつきが生じてしまい、横縞状のムラとして視認されるおそれがある。【０００８】
本発明は、上記課題に鑑みてなされたものであり、ブロック反転駆動を行う液晶表示装置において横縞状のムラを低減し、その表示品位を高めることを目的とする。
【課題を解決するための手段】
【０００９】
本液晶表示装置は、表示部の走査信号線が複数本ずつグループとされるとともに各グループが順に選択され、選択されたグループに属する走査信号線が順次水平走査されるのに対応して順次同極性の信号電位がデータ信号線に供給される液晶表示装置であって、前後して選択される前グループと後グループとで上記信号電位の極性が反転するとともに、前グループの最後の水平走査に対応する水平走査期間と後グループでの最初の水平走査に対応する水平走査期間との間にダミー走査期間が挿入され、該ダミー走査期間に、前グループよりも後に選択されるグループに属する走査信号線がダミー走査されることによってこの走査信号線が所定期間アクティブとされた後に非アクティブ化されることを特徴とする。【００１０】
本願では、「水平走査」とは、ある走査信号線をこれに対応する水平走査期間にアクティブにすることを意味し、プリチャージ等の目的で、ある走査信号線をこれに対応しない水平走査期間にアクティブにすることは「水平走査」と呼ばないこととする。同様に、「ダミー走査」とは、ある走査信号線をこれに対応するダミー走査期間にアクティブにすることを意味する。【００１１】
上記構成によれば、データ信号線の電位極性反転直後にダミー走査期間を挿入する場合において、水平走査期間における走査信号線駆動回路の負荷状態と、ダミー走査期間における走査信号線駆動回路の負荷状態とを合わせ、各走査信号線の走査について、その走査前および走査中の走査信号線駆動回路の負荷状態を揃えることができる。これにより、電位極性反転前後（特に直後）に水平走査される走査信号線に接続する画素と他の画素との充電率の差を低減し、ブロック反転駆動時に問題となっていた横縞状のムラを抑制することができる。【００１２】
本液晶表示装置では、ダミー走査期間には、ダミー電位がデータ信号線に供給される構成とすることもできる。このダミー電位の極性は、後グループでの上記信号電位の極性と同一であることが望ましい。【００１３】
本液晶表示装置では、各走査信号線の水平走査に対応する映像データが水平走査の順に並べられるとともに、前グループの最後の水平走査に対応する映像データと後グループでの最初の水平走査に対応する映像データとの間にｎ個のダミーデータが挿入され、上記信号電位は映像データに対応する電位であり、ダミー電位はダミーデータに対応する電位である構成とすることもできる。上記ダミーデータは、ダミー走査される走査信号線のダミー走査後直近の水平走査に対応する映像データと同一であってもよい。また、上記ダミーデータは、ダミー走査される走査信号線のダミー走査前直近の水平走査に対応する映像データと同一であってもよい。【００１４】
本液晶表示装置では、水平走査期間の開始および水平走査の開始の時間差とダミー走査期間の開始およびダミー走査の開始の時間差とが等しく、水平走査の終了および水平走査期間の終了の時間差とダミー走査の終了およびダミー走査期間の終了の時間差とが等しくなっている構成とすることもできる。また、上記水平走査期間とダミー走査期間とが等しい構成とすることもできる。【００１５】
本液晶表示装置では、前グループの最後の水平走査に対応する水平走査期間と後グループでの最初の水平走査に対応する水平走査期間との間に複数のダミー走査期間が挿入されており、ダミー走査期間ごとに、異なる走査信号線がダミー走査される構成でもよい。また、各ダミー走査期間に、同一の走査信号線がダミー走査される構成でもよい。また、ダミー走査される走査信号線は、後グループに属していてもよい。また、ダミー走査される走査信号線に、後グループで最初に水平走査される走査信号線が含まれていてもよい。また、ダミー走査される走査信号線に、後グループよりも後に選択されるグループに属する走査信号線が含まれていてもよい。【００１６】
本液晶表示装置では、各走査信号線は自段の水平走査の開始に同期してアクティブ化され、該自段の水平走査の終了に同期して非アクティブ化される構成とすることもできる。この場合、ダミー走査される走査信号線は、自段のダミー走査の開始に同期してアクティブ化され、該自段のダミー走査の終了に同期して非アクティブ化される構成とすることもできる。また、走査信号線をアクティブ化するためのゲートパルスの幅が一水平走査期間に等しい構成とすることもできる。【００１７】
本液晶表示装置では、各走査信号線は自段に対応する水平走査直前の、水平走査あるいはダミー走査の開始に同期してアクティブ化され、自段の水平走査の終了に同期して非アクティブ化される構成とすることもできる。この場合、ダミー走査される走査信号線は、自段に対応するダミー走査直前の、水平走査あるいはダミー走査の開始に同期してアクティブ化され、され、自段のダミー走査の終了に同期して非アクティブ化される構成とすることもできる。また、走査信号線をアクティブ化するためのゲートパルスの幅が一水平走査期間の２倍に等しい構成とすることもできる。【００１８】
本液晶表示装置では、表示部内の所定の走査信号線を数えはじめの１番目の走査信号線とした場合に、上記前グループおよび後グループの一方には奇数番目の走査信号線のみが含まれ、他方には偶数番目の走査信号線のみが含まれる構成とすることもできる。【００１９】
この場合、表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックと考え、最初に選択されるグループは最上流ブロックに含まれる奇数番目の走査信号線で構成されるか、あるいは最上流ブロックに含まれる偶数番目の走査信号線で構成され、最後に選択されるグループは最下流ブロックに含まれる奇数番目の走査信号線で構成されるか、あるいは最下流ブロックに含まれる偶数番目の走査信号線で構成され、その他のグループは、隣り合う２つのブロックに含まれる偶数番目の走査信号線で構成されるか、あるいは隣り合う２つのブロックに含まれる奇数番目の走査信号線で構成されるとともに、上流側のグループから順に選択される構成とすることもできる。【００２０】
また、表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックと考えた場合に、各ブロックに含まれる奇数番目の走査信号線を前グループとするとともに偶数番目の走査信号線を後グループとして最上流ブロックに含まれるグループから順に最下流ブロックに含まれるグループまで選択されるか、あるいは各ブロックに含まれる偶数番目の走査信号線を前グループとするとともに奇数番目の走査信号線を後グループとして最上流ブロックに含まれるグループから順に最下流ブロックに含まれるグループまで選択される構成とすることもできる。【００２１】
本液晶表示装置では、表示部における所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、各ブロックに含まれる走査信号線がグループ化され、最上流ブロックのグループから順に最下流ブロックのグループまで選択される構成とすることもできる。【００２２】
本発明の液晶表示装置は、複数の走査信号線と、複数のデータ信号線とを備え、複数の水平走査期間からなる第１期に、各データ信号線に対して第１極性の信号電位を供給する一方、該第１期に続く、連続する複数の水平走査期間からなる第２期に、各データ信号線に対して第２極性の信号電位を供給し、第１期と第２期との間に、各水平走査期間にアクティブとする走査信号線と同数の走査信号線を所定期間アクティブとした後に非アクティブ化するダミー走査期間が設けられている。この場合、上記ダミー走査期間にアクティブとした走査信号線を、第２期内または第２期後の水平走査期間に、所定期間アクティブとした後に非アクティブ化する構成とすることもできる。また、上記ダミー走査期間にアクティブとした走査信号線を、第２期内の、１番目以外の水平走査期間に、所定期間アクティブとした後に非アクティブ化する構成とすることもできる。また、上記データ信号線駆動回路は、ダミー走査期間に、各データ信号線に対して第２極性のダミー電位を供給する構成とすることもできる。また、上記走査信号線駆動回路は飛び越し走査を行う構成とすることもできる。【００２３】
本液晶表示装置の駆動方法は、表示部の走査信号線を複数本ずつグループとするとともに各グループを順に選択し、選択したグループに属する走査信号線を順次水平走査するのに対応して順次同極性の信号電位をデータ信号線に供給する液晶表示装置の駆動方法であって、前後して選択される前グループと後グループとで上記信号電位の極性を反転させるとともに、前グループの最後の水平走査に対応する水平走査期間と後グループでの最初の水平走査に対応する水平走査期間との間にダミー走査期間を挿入し、該ダミー走査期間に、前グループよりも後に選択するグループに属する走査信号線をダミー走査することよってこの走査信号線を所定期間アクティブとした後に非アクティブ化させることを特徴とする。【００２４】
本テレビジョン受像機は、上記液晶表示装置と、テレビジョン放送を受信するチューナ部とを備えることを特徴とする。
【発明の効果】
【００２５】
以上のように、本液晶表示装置によれば、データ信号線の電位極性反転直後にダミー走査期間を挿入する場合において、水平走査期間における走査信号線駆動回路の負荷状態と、ダミー走査期間における走査信号線駆動回路の負荷状態とを合わせ、各走査信号線の走査について、その走査前および走査中の走査信号線駆動回路の負荷状態を揃えることができる。これにより、電位極性反転前後に水平走査される走査信号線に接続する画素と他の画素との充電率の差を低減し、ブロック反転駆動時に問題となっていた横縞状のムラを抑制することができる。
【図面の簡単な説明】
【００２６】
【図１】実施の形態１にかかる液晶表示装置の一駆動例を示すタイミングチャートである。
【図２】図１の続きを示すタイミングチャートである。
【図３】本液晶表示装置の構成を示す模式図である。
【図４】図１・２の駆動例をより詳細に示すタイミングチャートである。
【図５】本液晶表示装置の書き込み電位の極性分布を示す模式図である。
【図６】図１・２の駆動例における走査信号線駆動回路の負荷変動を示すタイミングチャートである。
【図７】本液晶表示装置の他の駆動例を示すタイミングチャートである。
【図８】図７の駆動例をより詳細に示すタイミングチャートである。
【図９】図７の駆動例における走査信号線駆動回路の負荷変動を示すタイミングチャートである。
【図１０】本液晶表示装置のさらに他の駆動例を示すタイミングチャートである。
【図１１】図１０の駆動例をより詳細に示すタイミングチャートである。
【図１２】図１０の駆動例における走査信号線駆動回路の負荷変動を示すタイミングチャートである。
【図１３】本液晶表示装置のさらに他の駆動例を示すタイミングチャートである。
【図１４】図１３の駆動例をより詳細に示すタイミングチャートである。
【図１５】図１３の駆動例における走査信号線駆動回路の負荷変動を示すタイミングチャートである。
【図１６】本液晶表示装置のさらに他の駆動例を示すタイミングチャートである。
【図１７】図１６の駆動例をより詳細に示すタイミングチャートである。
【図１８】図１６の駆動例における走査信号線駆動回路の負荷変動を示すタイミングチャートである。
【図１９】走査信号線のグループ分けを変えたときの駆動を示すタイミングチャートである。
【図２０】図１９の続きを示すタイミングチャートである。
【図２１】走査信号線のグループ分けを変えたときの駆動を示すタイミングチャートである。
【図２２】図２１の続きを示すタイミングチャートである。
【図２３】実施の形態２にかかる液晶表示装置の一駆動例を示すタイミングチャートである。
【図２４】図１の続きを示すタイミングチャートである。
【図２５】図２３・２４の駆動例をより詳細に示すタイミングチャートである。
【図２６】本液晶表示装置の書き込み電位の極性分布を示す模式図である。
【図２７】図２３・２４の駆動例における走査信号線駆動回路の負荷変動を示すタイミングチャートである。
【図２８】本液晶表示装置の他の駆動例を示すタイミングチャートである。
【図２９】本液晶表示装置のさらに他の駆動例を示すタイミングチャートである。
【図３０】図２９の駆動例をより詳細に示すタイミングチャートである。
【図３１】図２９の駆動例における走査信号線駆動回路の負荷変動を示すタイミングチャートである。
【図３２】図６の変形例を示すタイミングチャートである。
【図３３】本液晶表示装置全体の構成を説明するブロック図である。
【図３４】本テレビジョン受像機の機能を説明するブロック図である。
【図３５】従来の液晶表示装置の駆動例を示すタイミングチャートである。
【発明を実施するための形態】
【００２７】
本発明にかかる実施の形態を、図１〜３４を用いて説明すれば、以下のとおりである。本液晶表示装置（例えば、ノーマリブラックモード）の表示部には、図３に示すように、走査信号線Ｇ１〜Ｇ１０８０が配され、マトリクス状に画素が配されている。そして、例えば１画素列ＰＬ１にはＰ１〜Ｐ１０８０が含まれ、画素ｉ（ｉは１〜１０８０の整数）は走査信号線ＳＬ１および走査信号線Ｇｉに接続されている。また、画素列ＰＬ１に隣接する画素列ＰＬ２にはｐ１〜ｐ１０８０が含まれ、画素ｐｉ（ｉは１〜１０８０の整数）は走査信号線ＳＬ２および走査信号線Ｇｉに接続されている。
【００２８】
〔実施の形態１〕
本実施の形態では、図１・２に示されるように、データ信号線をブロック反転駆動しながら走査信号線を飛び越し（インターレース）走査する。まず、表示部における走査信号線Ｇ１以降の部分を、走査信号線に平行な４４本の境界で画される４５個のブロック（Ｂ１〜Ｂ４５）に分けて考える。各ブロックには連続する２４本の走査信号線が含まれ、例えば、最上流ブロックであるブロックＢ１には走査信号線Ｇ１〜Ｇ２４が含まれ、ブロックＢ２には走査信号線Ｇ２５〜Ｇ４８が含まれ、ブロックＢ３には走査信号線Ｇ４９〜Ｇ７２が含まれ、最下流ブロックであるブロックＢ４５には走査信号線Ｇ１０５７〜Ｇ１０８０が含まれる。
【００２９】
そして、最上流ブロックであるブロックＢ１に含まれる奇数番目の走査信号線１２本（Ｇ１・Ｇ３・・・Ｇ２３）を先頭のグループＧｒ１とし、ブロックＢ１とその下流側のブロックＢ２とに含まれる偶数番目の走査信号線２４本（Ｇ２・Ｇ４・・・Ｇ４８）をグループＧｒ２とするとともに、２番目のブロックＢ２とその下流側のブロックＢ３とに含まれる奇数番目の走査信号線２４本（Ｇ２５・Ｇ２７・・・Ｇ７１）をグループＧｒ３とし、以降、ブロックＢｊ（ｊは３〜４３の奇数）とその下流側のブロックＢ（ｊ＋１）とに含まれる偶数番目の走査信号線２４本のグループ化、およびＢ（ｊ＋１）ブロックとその下流側のブロックＢ（ｊ＋２）とに含まれる奇数番目の走査信号線２４本のグループ化を繰り返してグループＧｒ４〜Ｇ４５とし、最下流ブロックであるブロックＢ４５に含まれる偶数番目の走査信号線１２本（Ｇ１０５８・Ｇ１０６０・・・Ｇ１０８０）を最終のグループＧｒ４６とし、Ｇｒ１から順にＧｒ４６まで選択しつつ、選択したグループに属する走査信号線を順次水平走査するのに対応して順次同極性の信号電位をデータ信号線に供給する。なお、図１・２に示すデータＤ１〜Ｄ１０８０は、走査信号線Ｇ１〜Ｇ１０８０に接続する画素Ｐ１〜Ｐ１０８０（図３参照）に対応する映像データ（デジタルデータ）であり、極性反転信号ＰＯＬは、データ信号線ＳＬ１に供給される信号電位の極性を制御する信号である。さらに、図１・２に示すように、前後して選択される前グループと後グループとでデータ信号線に供給する信号電位の極性（プラス・マイナス）を反転させる。
【００３０】
具体的には、グループＧｒ１を選択してグループＧｒ１に属する走査信号線（Ｇ１・Ｇ３・・・Ｇ２３）を順次水平走査するのに対応して、映像データ（Ｄ１・Ｄ３・・・Ｄ２３）に対応するプラス極性の信号電位を順次データ信号線ＳＬ１に供給し、ついでグループＧｒ２を選択してグループＧｒ２に属する走査信号線（Ｇ２・Ｇ４・・・Ｇ４８）を順次水平走査するのに対応して、映像データ（Ｄ２・Ｄ４・・・Ｄ４８）に対応するマイナス極性の信号電位を順次データ信号線ＳＬ１に供給し、ついでグループＧｒ３を選択してグループＧｒ３に属する走査信号線（Ｇ２５・Ｇ２７・・・Ｇ７１）を順次水平走査するのに対応して、映像データ（Ｄ２５・Ｄ２７・・・Ｄ７１）に対応するプラス極性の信号電位を順次データ信号線ＳＬ１に供給する。なお、データ信号線に１つの映像データに対応する信号電位を供給（出力）する期間を水平走査期間（Ｈ）とする。
【００３１】
そして、前グループの最後の水平走査に対応する映像データと後グループでの最初の水平走査に対応する映像データとの間に第１および第２ダミーデータを挿入するとともに、前グループの最後の水平走査に対応する水平走査期間と後グループでの最初の水平走査に対応する水平走査期間との間に第１および第２ダミー走査期間を挿入する。
【００３２】
そして、第１ダミー走査期間に、後グループで１番目に水平走査する走査信号線をダミー走査することにより、該走査信号線を所定期間アクティブとした後に非アクティブ化する。第１ダミー走査期間には、第１ダミーデータに対応し、後グループでの信号電位の極性と同極性のダミー電位をデータ信号線に出力する。該第１ダミーデータは、上記走査信号線（後グループ１番目の走査信号線）のダミー走査後直近の水平走査に対応する映像データと同一としている。さらに、第２ダミー走査期間に、後グループで２番目に水平走査する走査信号線をダミー走査することにより、該走査信号線を所定期間アクティブとした後に非アクティブ化する。第２ダミー走査期間には、第２ダミーデータに対応し、後グループでの信号電位の極性と同極性のダミー電位をデータ信号線に供給する。該第２ダミーデータは、上記走査信号線（後グループ２番目の走査信号線）のダミー走査後直近の水平走査に対応する映像データと同一としている。
【００３３】
ここでは、各水平走査期間における水平走査のタイミングと、各ダミー走査期間におけるダミー走査のタイミングとを一致させている。具体的には、水平走査期間の開始（信号電位の出力開始）および終了（信号電位の出力終了）と、これに対応する水平走査の開始（該信号電位の書き込み開始）および終了（該信号電位の書き込み終了）とを一致させるとともに、ダミー走査期間の開始（ダミー電位の出力開始）および終了（ダミー電位の出力終了）と、これに対応するダミー走査の開始（該ダミー電位の書き込み開始）および終了（該ダミー電位の書き込み終了）とを一致させている。
【００３４】
さらに、走査信号線Ｇ１〜Ｇ１０８０に供給されるゲートパルスＧＰ１〜ＧＰ１０８０はそれぞれ、その幅が一水平走査期間（１Ｈ）に等しいパルスであり、各走査信号線は、自段に対応する水平走査の開始と同時にアクティブ化し、ダミー走査される走査信号線（後グループ１・２番目の走査信号線）も自段に対応するダミー走査の開始と同時にアクティブ化する。
【００３５】
例えば、図１・４に示すように、グループＧｒ１での最後の水平走査（Ｇ２３の水平走査）に対応する映像データＤ２３と、グループＧｒ２での最初の水平走査（Ｇ２の水平走査）に対応する映像データＤ２との間に、第１ダミーデータＤａおよび第２ダミーデータＤｂが挿入されるとともに、グループＧｒ１での最後の水平走査に対応する水平走査期間Ｈ２３とグループＧｒ２での最初の水平走査に対応する水平走査期間Ｈ２との間に、第１ダミー走査期間ＤＳ１および第２ダミー走査期間ＤＳ２が挿入される。
【００３６】
ここでは、水平走査期間Ｈ２３の開始と同時に走査信号線Ｇ２３に供給されるゲートパルスＧＰ２３がアクティブ化し、水平走査期間Ｈ２３の終了と同時にゲートパルスＧＰ２３が非アクティブ化する。水平走査期間Ｈ２３には、映像データＤ２３（走査信号線Ｇ２３に接続する画素に対応する映像データ）に対応し、グループＧｒ１での信号電位の極性と同極性（プラス極性）の信号電位がデータ信号線ＳＬ１に供給される。
【００３７】
ついで、第１ダミー走査期間ＤＳ１の開始と同時に、グループＧｒ２で１番目に水平走査される走査信号線Ｇ２に供給されるゲートパルスＧＰ２がアクティブ化し、第１ダミー走査期間ＤＳ１の終了と同時にゲートパルスＧＰ２が非アクティブ化する。第１ダミー走査期間ＤＳ１には、第１ダミーデータＤａに対応し、グループＧｒ２での信号電位の極性と同極性（マイナス極性）のダミー電位がデータ信号線ＳＬ１に供給される。第１ダミーデータＤａは、走査信号線Ｇ２のダミー走査後直近の水平走査に対応する映像データＤ２（次フレームのデータ）と同一としている。したがって、データ信号線ＳＬ１に供給される電位ＶＳＬ１（図４参照）に示されるように、第１ダミー走査期間ＤＳ１に供給されるダミー電位と水平走査期間Ｈ２に供給される信号電位とが等しくなっている。
【００３８】
ついで、第２ダミー走査期間ＤＳ２の開始と同時に、グループＧｒ２で２番目に水平走査される走査信号線Ｇ４に供給されるゲートパルスＧＰ４がアクティブ化し、第２ダミー走査期間ＤＳ２の終了と同時にゲートパルスＧＰ４が非アクティブ化する。第２ダミー走査期間ＤＳ２には、第２ダミーデータＤｂに対応し、グループＧｒ２での信号電位の極性と同極性（マイナス極性）のダミー電位がデータ信号線ＳＬ１に供給される。第２ダミーデータＤｂは、走査信号線Ｇ４のダミー走査後直近の水平走査に対応する映像データＤ４（次フレームのデータ）と同一としている。したがって、データ信号線ＳＬ１に供給される電位ＶＳＬ１（図４参照）に示されるように、第２ダミー走査期間ＤＳ２に供給されるダミー電位と水平走査期間Ｈ４に供給される信号電位とが等しくなっている。
【００３９】
ついで、水平走査期間Ｈ２の開始と同時に走査信号線Ｇ２に供給されるゲートパルスＧＰ２がアクティブ化し、水平走査期間Ｈ２の終了と同時にゲートパルスＧＰ２が非アクティブ化する。水平走査期間Ｈ２には、映像データＤ２（走査信号線Ｇ２に接続する画素に対応する映像データ）に対応し、グループＧｒ２での信号電位の極性と同極性（マイナス極性）の信号電位がデータ信号線ＳＬ１に供給される。
【００４０】
本液晶表示装置によれば、図５に示すように、各画素への書き込み電位の列方向（データ信号線の延伸方向）の極性分布をドット反転状にすることができ、チラツキを抑制することができる。さらに、データ信号線をドット反転（１Ｈ反転）駆動させる場合と比較して、ドライバの消費電力や発熱を抑制し、かつ画素充電率も高めることができる。また、データ信号線に供給される信号電位の極性が反転した直後に、第１および第２ダミー走査期間に亘って反転後の極性に等しいダミー電位をデータ信号線に供給するため、奇数番目ブロックの２番目や偶数番目ブロックの１番目の走査信号線に接続する画素の充電率と、他の画素の充電率との差を低減することができる。これにより、ブロック反転駆動した場合に視認されるおそれのあるブロック境界近傍の横筋状のムラを抑制することができる。
【００４１】
そして注目すべきは、第１および第２ダミー走査期間それぞれにおいて１本の走査信号線を所定期間アクティブとした後に非アクティブ化することで、各走査信号線の走査について、その走査前および走査開始時並びに走査中における走査信号線駆動回路の負荷状態を揃えることができる点である。
【００４２】
ここで、１本の走査信号線がアクティブ化すると同時にこれとは別の１本の走査信号線が非アクティブ化するときの走査信号線駆動回路の負荷をＬｐ、１本の走査信号線がアクティブとなっているときの走査信号線駆動回路の負荷をＬｙとし、ブロックＢ１・Ｂ２境界近傍に位置する走査信号線Ｇ２４・Ｇ２５・Ｇ２６それぞれの走査開始前および走査開始時並びに走査中における走査信号線駆動回路の負荷状態を、図６を用いて説明する。
【００４３】
走査信号線Ｇ２４の走査開始前においては、１本の走査信号線Ｇ２２がアクティブとなっているため走査信号線駆動回路の負荷はＬｙとなり、走査信号線Ｇ２４の走査開始時においては、１本の走査信号線Ｇ２４がアクティブ化すると同時にこれとは別の１本の走査信号線Ｇ２２が非アクティブ化するため走査信号線駆動回路の負荷はＬｐとなり、走査信号線Ｇ２４の走査中においては、１本の走査信号線Ｇ２４がアクティブとなっているため走査信号線駆動回路の負荷はＬｙとなる。
【００４４】
走査信号線Ｇ２５の走査開始前においては、１本の走査信号線Ｇ２７がアクティブとなっているため走査信号線駆動回路の負荷はＬｙとなり、走査信号線Ｇ２５の走査開始時においては、１本の走査信号線Ｇ２５がアクティブ化すると同時にこれとは別の１本の走査信号線Ｇ２７が非アクティブ化するため走査信号線駆動回路の負荷はＬｐとなり、走査信号線Ｇ２５の走査中においては、１本の走査信号線Ｇ２５がアクティブとなっているため走査信号線駆動回路の負荷はＬｙとなる。
【００４５】
走査信号線Ｇ２６の走査開始前においては、１本の走査信号線Ｇ２４がアクティブとなっているため走査信号線駆動回路の負荷はＬｙとなり、走査信号線Ｇ２６の走査開始時においては、１本の走査信号線Ｇ２６がアクティブ化すると同時にこれとは別の１本の走査信号線Ｇ２４が非アクティブ化するため走査信号線駆動回路の負荷はＬｐとなり、走査信号線Ｇ２６の走査中においては、１本の走査信号線Ｇ２６がアクティブとなっているため走査信号線駆動回路の負荷はＬｙとなる。
【００４６】
このように、本液晶表示装置では、データ信号線の電位極性反転直後にダミー走査期間を挿入する場合において、水平走査期間における走査信号線駆動回路の負荷状態と、ダミー走査期間における走査信号線駆動回路の負荷状態とを合わせ、各走査信号線の走査について、その走査前および走査開始時並びに走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【００４７】
また、本液晶表示装置では走査信号線駆動回路の負荷が垂直走査期間中ほぼ常時Ｌｙに保たれ、走査信号線駆動回路の負荷変動自体がほとんどないため、横筋状のムラの抑制がより効果的となっている。また、図６に示すように負荷がＬｐとなるタイミングを周期的にすることで、横筋状のムラの抑制を一層効果的なものとすることができる。なお、図３２に示すように、負荷がＬｙとなるタイミング（期間）および負荷がＬｐとなるタイミングが非周期となるような構成も可能である。
【００４８】
本液晶表示装置では、同一水平走査期間あるいは同一ダミー走査期間に隣接する２つのデータ信号線それぞれに供給される信号電位の極性を互いに異ならせることが好ましい。例えば図４に示すように、データ信号線ＳＬ１にプラス極性の信号電位が供給されている期間にはデータ信号線ＳＬ２にマイナス極性の信号電位を供給し、データ信号線ＳＬ１にマイナス極性の信号電位が供給されている期間にはデータ信号線ＳＬ２にプラス極性の信号電位を供給する。こうすれば、各画素への書き込み電位の行方向（走査信号線の延伸方向）の極性分布も図５に示すようにドット反転状にすることができ、チラツキを一層抑制することができる。
【００４９】
また、図１・４の形態では第１ダミーデータＤａは、走査信号線Ｇ２のダミー走査後直近の水平走査に対応する映像データＤ２（次フレームの映像データ）と同一とし、第２ダミーデータＤｂは、走査信号線Ｇ４のダミー走査後直近の水平走査に対応する映像データＤ４（次フレームの映像データ）と同一としているが、これに限定されない。例えば、第１ダミーデータＤａは、走査信号線Ｇ２のダミー走査前直近の水平走査に対応する映像データ（現フレームの映像データ）と同一とし、第２ダミーデータＤｂは、走査信号線Ｇ４のダミー走査前直近の水平走査に対応する映像データ（現フレームの映像データ）と同一としてよい。また、第１ダミーデータＤａを、走査信号線Ｇ２のダミー走査前直近の水平走査に対応する映像データ（現フレームの映像データ）と、走査信号線Ｇ２のダミー走査後直近の水平走査に対応する映像データＤ２（次フレームの映像データ）とに基づいて決定し、第２ダミーデータＤｂを、走査信号線Ｇ４のダミー走査前直近の水平走査に対応する映像データ（現フレームの映像データ）と、走査信号線Ｇ４のダミー走査後直近の水平走査に対応する映像データＤ４（次フレームの映像データ）とに基づいて決定してもよい。また、第１および第２ダミーデータＤａ・Ｄｂを所定の映像データ（同一）とすることもできる。
【００５０】
なお、図１・２・４の形態では、各ダミー走査期間は一水平走査期間に等しくなっているこれに限定されない。各ダミー走査期間を一水平走査期間よりも短くしたり、長くしたりしてもよい。例えば図３２では各ダミー走査期間を一水平走査期間よりも短くしている。なお図３２でも、各水平走査期間における水平走査のタイミングと、各ダミー走査期間におけるダミー走査のタイミングとが一致している。
【００５１】
図１・２・４の形態では、第１ダミー走査期間に、後グループで１番目に水平走査する走査信号線をダミー走査し、第２ダミー走査期間に、後グループで２番目に水平走査する走査信号線をダミー走査しているが、これに限定されない。例えば、図７に示すように、第１ダミー走査期間に、後グループで１番目に水平走査する走査信号線をダミー走査することにより、該走査信号線を所定期間アクティブとした後に非アクティブ化し、第２ダミー走査期間に、同一の走査信号線を再度ダミー走査することにより、該走査信号線を所定期間アクティブとした後に非アクティブ化してもよい。
【００５２】
すなわち、図７・８に示すように、グループＧｒ１での最後の水平走査（Ｇ２３の水平走査）に対応する映像データＤ２３と、グループＧｒ２での最初の水平走査（Ｇ２の水平走査）に対応する映像データＤ２との間に、第１ダミーデータＤａおよび第２ダミーデータＤｂを挿入するとともに、グループＧｒ１での最後の水平走査に対応する水平走査期間Ｈ２３とグループＧｒ２での最初の水平走査に対応する水平走査期間Ｈ２との間に、第１ダミー走査期間ＤＳ１および第２ダミー走査期間ＤＳ２を挿入する。
【００５３】
ここで、第１ダミー走査期間ＤＳ１の開始と同時に、グループＧｒ２で１番目に水平走査される走査信号線Ｇ２に供給されるゲートパルスＧＰ２がアクティブ化し、第１ダミー走査期間ＤＳ１の終了と同時にゲートパルスＧＰ２が非アクティブ化する。第１ダミー走査期間ＤＳ１には、第１ダミーデータＤａに対応し、グループＧｒ２での信号電位の極性と同極性（マイナス極性）のダミー電位がデータ信号線ＳＬ１に供給される。第１ダミーデータＤａは、走査信号線Ｇ２の、ダミー走査後直近の水平走査に対応する映像データＤ２（次フレームのデータ）と同一としている。したがって、データ信号線ＳＬ１に供給される電位ＶＳＬ１（図８参照）に示されるように、第１ダミー走査期間ＤＳ１に供給されるダミー電位と水平走査期間Ｈ２に供給される信号電位とが等しくなっている。
【００５４】
ついで、第２ダミー走査期間ＤＳ２の開始と同時に、グループＧｒ２で１番目に水平走査される走査信号線Ｇ２に供給されるゲートパルスＧＰ２が再度アクティブ化し、第２ダミー走査期間ＤＳ２の終了と同時にゲートパルスＧＰ２が非アクティブ化する。第２ダミー走査期間ＤＳ２には、第２ダミーデータＤｂに対応し、グループＧｒ２での信号電位の極性と同極性（マイナス極性）のダミー電位がデータ信号線ＳＬ１に供給される。第２ダミーデータＤｂは、走査信号線Ｇ２の、ダミー走査後直近の水平走査に対応する映像データＤ２（次フレームのデータ）と同一としている。したがって、データ信号線ＳＬ１に供給される電位ＶＳＬ１（図８参照）に示されるように、第２ダミー走査期間ＤＳ２に供給されるダミー電位と水平走査期間Ｈ２に供給される信号電位とが等しくなっている。
【００５５】
図７・８に示す形態でも、１本の走査信号線がアクティブ化すると同時にこれとは別の１本の走査信号線が非アクティブ化するときの走査信号線駆動回路の負荷をＬｐ、１本の走査信号線がアクティブとなっているときの走査信号線駆動回路の負荷をＬｙとすれば、図９に示すように、水平走査期間における走査信号線駆動回路の負荷状態と、ダミー走査期間における走査信号線駆動回路の負荷状態とを合わせ、各走査信号線の走査について、その走査前および走査開始時並びに走査中における走査信号線駆動回路の負荷状態を揃えることができる。これにより、電位極性反転直後に水平走査される走査信号線（奇数番目ブロックの２番目や偶数番目ブロックの１番目の走査信号線）に接続する画素と他の画素との充電率の差をさらに低減し、ブロック境界近傍の横筋状のムラをさらに抑制することができる。
【００５６】
また、本形態でも走査信号線駆動回路の負荷が垂直走査期間中ほぼ常時Ｌｙに保たれ、走査信号線駆動回路の負荷変動自体がほとんどないため、横筋状のムラの抑制がより効果的となっている。また、図９に示すように負荷がＬｐとなるタイミングを周期的にすることで、横筋状のムラの抑制を一層効果的なものとすることができる。なお、図７・８の形態では、各ダミー走査期間は一水平走査期間に等しくしているがこれに限定されない。各ダミー走査期間を一水平走査期間よりも短くしたり、長くしたりしてもよい。
【００５７】
また、本実施の形態では、図１０に示すように、第１ダミー走査期間に、前グループ最後の走査信号線から３ライン下の走査信号線（後グループ１３番目の走査信号線）をダミー走査することにより、該走査信号線を所定期間アクティブとした後に非アクティブ化し、第２ダミー走査期間に、第１ダミー走査期間でダミー走査した走査信号線から２ライン下の走査信号線（後グループ１４番目の走査信号線）をダミー走査することにより、該走査信号線を所定期間アクティブとした後に非アクティブ化してもよい。
【００５８】
例えば、図１０・１１に示すように、グループＧｒ１での最後の水平走査（Ｇ２３の水平走査）に対応する映像データＤ２３と、グループＧｒ２での最初の水平走査（Ｇ２の水平走査）に対応する映像データＤ２との間に、第１ダミーデータＤａおよび第２ダミーデータＤｂを挿入するとともに、グループＧｒ１での最後の水平走査に対応する水平走査期間Ｈ２３とグループＧｒ２での最初の水平走査に対応する水平走査期間Ｈ２との間に、第１ダミー走査期間ＤＳ１および第２ダミー走査期間ＤＳ２を挿入する。
【００５９】
ここで、第１ダミー走査期間ＤＳ１の開始と同時に、走査信号線Ｇ２３から３ライン下の走査信号線（グループＧｒ２の１３番目の走査信号線）Ｇ２６に供給されるゲートパルスＧＰ２６がアクティブ化し、第１ダミー走査期間ＤＳ１の終了と同時にゲートパルスＧＰ２６が非アクティブ化する。第１ダミー走査期間ＤＳ１には、第１ダミーデータＤａに対応し、グループＧｒ２での信号電位の極性と同極性（マイナス極性）のダミー電位がデータ信号線ＳＬ１に供給される。第１ダミーデータＤａは、走査信号線Ｇ２６のダミー走査後直近の水平走査に対応する映像データＤ２６（次フレームのデータ）と同一としている。したがって、データ信号線ＳＬ１に供給される電位ＶＳＬ１（図１１参照）に示されるように、第１ダミー走査期間ＤＳ１に供給されるダミー電位と水平走査期間Ｈ２６に供給される信号電位とが等しくなっている。
【００６０】
ついで、第２ダミー走査期間ＤＳ２の開始と同時に、走査信号線Ｇ２６から２ライン下の走査信号線Ｇ２８に供給されるゲートパルスＧＰ２８がアクティブ化し、第２ダミー走査期間ＤＳ２の終了と同時にゲートパルスＧＰ２８が非アクティブ化する。第２ダミー走査期間ＤＳ２には、第２ダミーデータＤｂに対応し、グループＧｒ２での信号電位の極性と同極性（マイナス極性）のダミー電位がデータ信号線ＳＬ１に供給される。第２ダミーデータＤｂは、走査信号線Ｇ２８のダミー走査後直近の水平走査に対応する映像データＤ２８（次フレームのデータ）と同一としている。したがって、データ信号線ＳＬ１に供給される電位ＶＳＬ１（図１１参照）に示されるように、第２ダミー走査期間ＤＳ２に供給されるダミー電位と水平走査期間Ｈ２８に供給される信号電位とが等しくなっている。
【００６１】
図１０・１１に示す形態でも、１本の走査信号線がアクティブ化すると同時にこれとは別の１本の走査信号線が非アクティブ化するときの走査信号線駆動回路の負荷をＬｐ、１本の走査信号線がアクティブとなっているときの走査信号線駆動回路の負荷をＬｙとすれば、図１２に示すように、水平走査期間における走査信号線駆動回路の負荷状態と、ダミー走査期間における走査信号線駆動回路の負荷状態とを合わせ、各走査信号線の走査について、その走査前および走査開始時並びに走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【００６２】
また、本形態でも走査信号線駆動回路の負荷が垂直走査期間中ほぼ常時Ｌｙに保たれ、走査信号線駆動回路の負荷変動自体がほとんどないため、横筋状のムラの抑制がさらにより効果的となっている。また、図１２に示すように負荷がＬｐとなるタイミングを周期的にすることで、横筋状のムラの抑制を一層効果的なものとすることができる。なお、図１１・１２の形態では、各ダミー走査期間は一水平走査期間に等しくしているがこれに限定されない。各ダミー走査期間を一水平走査期間よりも短くしたり、長くしたりしてもよい。
【００６３】
なお、図１０・１１の形態では、第１ダミーデータＤａは、走査信号線Ｇ２６のダミー走査後直近の水平走査に対応する映像データＤ２６（次フレームの映像データ）と同一とし、第２ダミーデータＤｂは、走査信号線Ｇ２８のダミー走査後直近の水平走査に対応する映像データＤ２８（次フレームの映像データ）と同一としているが、この場合、第１ダミー走査期間ＤＳ１と、走査信号線Ｇ２６の前段の走査信号線Ｇ２５に対応する水平走査期間Ｈ２５との間隔を０．８〔ｍｓ〕以下とすることで、テアリング（動画での表示ズレ）が視認されるおそれが少なくなる。なお、第１ダミーデータＤａは、走査信号線Ｇ２６のダミー走査前直近の水平走査に対応する映像データ（現フレームの映像データ）と同一とし、第２ダミーデータＤｂは、走査信号線Ｇ２８のダミー走査前直近の水平走査に対応する映像データ（現フレームの映像データ）と同一とすることもできる。こうすれば、テアリングが視認されるおそれがなくなるというメリットがある。
【００６４】
また、本実施の形態では、例えば図１３に示すように、第１ダミー走査期間に、前グループ最後の走査信号線から２ライン下の走査信号線（後グループに次ぐグループの１番目の走査信号線）をダミー走査することにより、該走査信号線を所定期間アクティブとした後に非アクティブ化し、第２ダミー走査期間に、第１ダミー走査期間でダミー走査した走査信号線から２ライン下の走査信号線（後グループに次ぐグループの２番目の走査信号線）をダミー走査することにより、該走査信号線を所定期間アクティブとした後に非アクティブ化してもよい。
【００６５】
例えば、図１３・１４に示すように、グループＧｒ１での最後の水平走査（Ｇ２３の水平走査）に対応する映像データＤ２３と、グループＧｒ２での最初の水平走査（Ｇ２の水平走査）に対応する映像データＤ２との間に、第１ダミーデータＤａおよび第２ダミーデータＤｂを挿入するとともに、グループＧｒ１での最後の水平走査に対応する水平走査期間Ｈ２３とグループＧｒ２での最初の水平走査に対応する水平走査期間Ｈ２との間に、第１ダミー走査期間ＤＳ１および第２ダミー走査期間ＤＳ２を挿入する。
【００６６】
ここで、第１ダミー走査期間ＤＳ１の開始と同時に、走査信号線Ｇ２３から２ライン下の走査信号線（グループＧｒ２に次ぐグループＧｒ３の１番目の走査信号線）Ｇ２５に供給されるゲートパルスＧＰ２５がアクティブ化し、第１ダミー走査期間ＤＳ１の終了と同時にゲートパルスＧＰ２５が非アクティブ化する。第１ダミー走査期間ＤＳ１には、第１ダミーデータＤａに対応し、グループＧｒ２での信号電位の極性と同極性（マイナス極性）のダミー電位がデータ信号線ＳＬ１に供給される。第１ダミーデータＤａは、走査信号線Ｇ２５のダミー走査前直近の水平走査に対応する映像データ（現フレームのデータ）と同一としている。
【００６７】
ついで、第２ダミー走査期間ＤＳ２の開始と同時に、走査信号線Ｇ２５から２ライン下の走査信号線（グループＧｒ３の２番目の走査信号線）Ｇ２７に供給されるゲートパルスＧＰ２７がアクティブ化し、第２ダミー走査期間ＤＳ２の終了と同時にゲートパルスＧＰ２７が非アクティブ化する。第２ダミー走査期間ＤＳ２には、第２ダミーデータＤｂに対応し、グループＧｒ２での信号電位の極性と同極性（マイナス極性）のダミー電位がデータ信号線ＳＬ１に供給される。第２ダミーデータＤｂは、走査信号線Ｇ２７のダミー走査前直近の水平走査に対応する映像データ（現フレームのデータ）と同一としている。
【００６８】
図１３・１４に示す形態でも、１本の走査信号線がアクティブ化すると同時にこれとは別の１本の走査信号線が非アクティブ化するときの走査信号線駆動回路の負荷をＬｐ、１本の走査信号線がアクティブとなっているときの走査信号線駆動回路の負荷をＬｙとすれば、図１５に示すように、水平走査期間における走査信号線駆動回路の負荷状態と、ダミー走査期間における走査信号線駆動回路の負荷状態とを合わせ、各走査信号線の走査について、その走査前および走査開始時並びに走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【００６９】
また、本形態でも走査信号線駆動回路の負荷が垂直走査期間中ほぼ常時Ｌｙに保たれ、走査信号線駆動回路の負荷変動自体がほとんどないため、横筋状のムラの抑制がより効果的となっている。また、図１５に示すように負荷がＬｐとなるタイミングを周期的にすることで、横筋状のムラの抑制を一層効果的なものとすることができる。なお、図１３・１４の形態では、各ダミー走査期間は一水平走査期間に等しくしているがこれに限定されない。各ダミー走査期間を一水平走査期間よりも短くしたり、長くしたりしてもよい。
【００７０】
また、図１・２・４の形態において、ゲートパルスＧＰ０〜ＧＰ１０８１を、その幅が一水平走査期間の２倍（２Ｈ）に等しいパルスとし、図１６・１７に示すように、各走査信号線は自段に対応する水平走査直前の、水平走査あるいはダミー走査の開始に同期してアクティブ化され、自段に対応する水平走査の終了に同期して非アクティブ化され、ダミー走査される各走査信号線も、自段に対応するダミー水平走査直前の、水平走査あるいはダミー水平走査の開始に同期してアクティブ化され、自段に対応するダミー走査の終了に同期して非アクティブ化される構成とすることもできる。この図１６・１７に示す構成のおいても、各水平走査期間における水平走査のタイミングと、各ダミー走査期間におけるダミー走査のタイミングとを一致させている。具体的には、水平走査期間の開始（信号電位の出力開始）および終了（信号電位の出力終了）と、これに対応する水平走査の開始（該信号電位の書き込み開始）および終了（該信号電位の書き込み終了）とを一致させるとともに、ダミー走査期間の開始（ダミー電位の出力開始）および終了（ダミー電位の出力終了）と、これに対応するダミー走査の開始（該ダミー電位の書き込み開始）および終了（該ダミー電位の書き込み終了）とを一致させている。
【００７１】
ここでは、走査信号線Ｇ２３に供給されるゲートパルスＧＰ２３が、走査信号線Ｇ２３に対応する水平走査直前の水平走査の開始、すなわち水平走査期間Ｈ２１の開始と同時にアクティブ化し、水平走査期間Ｈ２１および水平走査期間Ｈ２３の２水平走査期間分アクティブとなって水平走査期間Ｈ２３の終了と同時に非アクティブ化する。水平走査期間Ｈ２１には、映像データＤ２１（走査信号線Ｇ２１に接続する画素に対応する映像データ）に対応し、グループＧｒ１での信号電位の極性と同極性（プラス極性）の信号電位がデータ信号線ＳＬ１に供給される。また、水平走査期間Ｈ２３には、映像データＤ２３（走査信号線Ｇ２３に接続する画素に対応する映像データ）に対応し、グループＧｒ１での信号電位の極性と同極性（プラス極性）の信号電位がデータ信号線ＳＬ１に供給される。すなわち、水平走査期間Ｈ２１でプリチャージが行われ、水平走査期間Ｈ２３の水平走査で本チャージ（映像データＤ２３に対応するプラス極性の信号電位の書き込み）が行われる。
【００７２】
また、走査信号線Ｇ２に供給されるゲートパルスＧＰ２が、そのダミー走査直前の水平走査の開始、すなわち水平走査期間Ｈ２３の開始と同時にアクティブ化し、水平走査期間Ｈ２３および第１ダミー走査期間ＤＳ１の２水平走査期間分アクティブとなって第１ダミー走査期間ＤＳ１の終了と同時に非アクティブ化する。
【００７３】
また、走査信号線Ｇ４に供給されるゲートパルスＧＰ４が、そのダミー走査直前のダミー走査の開始、すなわち第１ダミー走査期間ＤＳ１の開始と同時にアクティブ化し、第１ダミー走査期間ＤＳ１および第２ダミー走査期間ＤＳ２の２水平走査期間分アクティブとなって第２ダミー走査期間ＤＳ２の終了と同時に非アクティブ化する。
【００７４】
また、走査信号線Ｇ２に供給されるゲートパルスＧＰ２が、走査信号線Ｇ２に対応する水平走査直前のダミー走査の開始、すなわち第２ダミー走査期間ＤＳ２の開始と同時にアクティブ化し、第２ダミー走査期間ＤＳ２および水平走査期間Ｈ２の２水平走査期間分アクティブとなって水平走査期間Ｈ２の終了と同時に非アクティブ化する。
【００７５】
第２ダミー走査期間ＤＳ２には、第２ダミーデータＤｂに対応し、グループＧｒ２での信号電位の極性と同極性（マイナス極性）の信号電位がデータ信号線ＳＬ１に供給される。水平走査期間Ｈ２には、映像データＤ２（走査信号線Ｇ２に接続する画素に対応する映像データ）に対応し、グループＧｒ２での信号電位の極性と同極性（プラス極性）の信号電位がデータ信号線ＳＬ１に供給される。すなわち、ダミー走査期間ＤＳ２でプリチャージが行われ、水平走査期間Ｈ２の水平走査で本チャージ（映像データＤ２に対応するプラス極性の信号電位の書き込み）が行われる。
【００７６】
ここで、１本の走査信号線がアクティブの状態で、これとは別の１本の走査信号線がアクティブ化すると同時にさらに別の１本の走査信号線が非アクティブ化するときの走査信号線駆動回路の負荷をＬｑ、１本の走査信号線とこれとは別の１本の走査信号線とがアクティブになっているときの走査信号線駆動回路の負荷をＬｚとし、ブロックＢ１・Ｂ２境界近傍に位置する走査信号線Ｇ２４・Ｇ２５・Ｇ２６それぞれの走査開始前および走査開始時並びに走査中における走査信号線駆動回路の負荷状態を、図１８を用いて説明する。
【００７７】
走査信号線Ｇ２４の走査開始前においては、１本の走査信号線Ｇ２２とこれとは別の１本の走査信号線Ｇ２４がアクティブとなっているため走査信号線駆動回路の負荷はＬｚとなり、走査信号線Ｇ２４の走査開始時においては、１本の走査信号線Ｇ２４がアクティブの状態で、これとは別の１本の走査信号線Ｇ２６がアクティブ化すると同時にさらに別の走査信号線Ｇ２２が非アクティブ化するため走査信号線駆動回路の負荷はＬｑとなる。走査信号線Ｇ２４の走査中においては、１本の走査信号線Ｇ２４とこれとは別の１本の走査信号線Ｇ２６がアクティブとなっているため走査信号線駆動回路の負荷はＬｚとなる。
【００７８】
走査信号線Ｇ２５の走査開始前においては、１本の走査信号線Ｇ２５とこれとは別の１本の走査信号線Ｇ２７がアクティブとなっているため走査信号線駆動回路の負荷はＬｚとなり、走査信号線Ｇ２５の走査開始時においては、１本の走査信号線Ｇ２５がアクティブの状態で、これとは別の１本の走査信号線Ｇ２７が非アクティブ化およびアクティブ化するため走査信号線駆動回路の負荷は略Ｌｑとなる。走査信号線Ｇ２５の走査中においては、１本の走査信号線Ｇ２５とこれとは別の１本の走査信号線Ｇ２７がアクティブとなっているため走査信号線駆動回路の負荷はＬｚとなる。
【００７９】
走査信号線Ｇ２６の走査開始前においては、１本の走査信号線Ｇ２４とこれとは別の１本の走査信号線Ｇ２６がアクティブとなっているため走査信号線駆動回路の負荷はＬｚとなり、走査信号線Ｇ２６の走査開始時においては、１本の走査信号線Ｇ２６がアクティブの状態で、これとは別の１本の走査信号線Ｇ２８がアクティブ化すると同時にさらに別の走査信号線Ｇ２４が非アクティブ化するため走査信号線駆動回路の負荷はＬｑとなる。走査信号線Ｇ２６の走査中においては、１本の走査信号線Ｇ２６とこれとは別の１本の走査信号線Ｇ２８がアクティブとなっているため走査信号線駆動回路の負荷はＬｚとなる。
【００８０】
このように、図１５・１６の構成でも、水平走査期間における走査信号線駆動回路の負荷状態と、ダミー走査期間における走査信号線駆動回路の負荷状態とを合わせ、各走査信号線の走査について、その走査前および走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【００８１】
また、本構成では走査信号線駆動回路の負荷が垂直走査期間中ほぼ常時Ｌｚに保たれ、走査信号線駆動回路の負荷変動自体がほとんどないため、横筋状のムラの抑制がさらに効果的となっている。また、図１８に示すように負荷がＬｑとなるタイミングを周期的にすることで、横筋状のムラの抑制を一層効果的なものとすることができる。
【００８２】
さらに、本構成では、各画素に一水平期間期間分のプリチャージが行われるため、各画素の充電率を高めることができる。なお、図１６・１７の形態では、各ダミー走査期間は一水平走査期間に等しくしているがこれに限定されない。各ダミー走査期間を一水平走査期間よりも短くしたり、長くしたりしてもよい。
【００８３】
なお、本液晶表示装置では、走査信号線のグループ分けを図１９・２０のようにしてもよい。すなわち、最上流ブロックであるブロックＢ１に含まれる偶数番目の走査信号線１２本（Ｇ２・Ｇ４・・・Ｇ２４）を先頭のグループＧｒ１とし、ブロックＢ１とその下流側のブロックＢ２とに含まれる偶数番目の走査信号線２４本（Ｇ１・Ｇ３・・・Ｇ４７）をグループＧｒ２とするとともに、２番目のブロックＢ２とその下流側のブロックＢ３とに含まれる奇数番目の走査信号線２４本（Ｇ２６・Ｇ２８・・・Ｇ７２）をグループＧｒ３とし、以降、ブロックＢｊ（ｊは３〜４３の偶数）とその下流側のブロックＢ（ｊ＋１）とに含まれる奇数番目の走査信号線２４本のグループ化、およびＢ（ｊ＋１）ブロックとその下流側のブロックＢ（ｊ＋２）とに含まれる偶数番目の走査信号線２４本のグループ化を繰り返してグループＧｒ４〜Ｇ４５とし、最下流ブロックであるブロックＢ４５に含まれる偶数番目の走査信号線１２本（Ｇ１０５７・Ｇ１０５９・・・Ｇ１０７９）を最終のグループＧｒ４６とする。そして、上流側のＧｒ１から順にＧｒ４６まで選択する。
【００８４】
また、本液晶表示装置では、走査信号線のグループ分けを図２１・２２のようにしてもよい。すなわち、最上流ブロックであるブロックＢ１に含まれる奇数番目の走査信号線１２本（Ｇ１・Ｇ３・・・Ｇ２３）を先頭のグループＧｒ１とし、該ブロックＢ１に含まれる偶数番目の走査信号線１２本（Ｇ２・Ｇ４・・・Ｇ２４）をグループＧｒ２とし、以降、ブロックＢ２から最下流ブロックＢ４５まで、ブロックごとにまず奇数番目の走査信号線１２本のグループ化して偶数番目の走査信号線１２本のグループ化し、グループＧｒ３〜Ｇｒ９０とする。そして、上流側のＧｒ１から順にＧｒ９０まで選択する。
【００８５】
〔実施の形態２〕
本実施の形態では、図２３・２４に示されるように、データ信号線をブロック反転駆動しながら走査信号線を順次走査する。まず、表示部における走査信号線Ｇ１以降の部分を、走査信号線に平行な８９本の境界で画される９０個のブロック（Ｂ１〜Ｂ９０）に分けて考える。各ブロックには連続する１２本の走査信号線が含まれ、例えば、最上流ブロックであるブロックＢ１には走査信号線Ｇ１〜Ｇ１２が含まれ、ブロックＢ２には走査信号線Ｇ１３〜Ｇ２４が含まれ、ブロックＢ３には走査信号線Ｇ２５〜Ｇ３６が含まれ、最下流ブロックであるブロックＢ９０には走査信号線Ｇ１０６９〜Ｇ１０８０が含まれる。
【００８６】
そして、最上流ブロックであるブロックＢ１に含まれる走査信号線１２本（Ｇ１・Ｇ２・・・Ｇ１２）を先頭のグループＧｒ１とし、ブロックＢ１の下流側のブロックＢ２に含まれる走査信号線１２本（Ｇ１３・Ｇ１４・・・Ｇ２４）をグループＧｒ２とし、以降、各ブロックに含まれる走査信号線１２本を順にグループＧｒ３〜Ｇｒ９０とし、Ｇｒ１から順にＧｒ９０まで選択しつつ、選択したグループに属する走査信号線を順次水平走査するのに対応して順次同極性の信号電位をデータ信号線に供給する。さらに、図２３の極性反転信号ＰＯＬに示されるように、前後して選択される前グループと後グループとでデータ信号線に供給する信号電位の極性（プラス・マイナス）を反転させる。
【００８７】
具体的には、グループＧｒ１を選択してグループＧｒ１に属する走査信号線（Ｇ１・Ｇ２・・・Ｇ１２）を順次水平走査するのに対応して、映像データ（Ｄ１・Ｄ２・・・Ｄ１２）に対応するプラス極性の信号電位を順次データ信号線ＳＬ１に供給し、ついでグループＧｒ２を選択してグループＧｒ２に属する走査信号線（Ｇ１３・Ｇ１４・・・Ｇ２４）を順次水平走査するのに対応して、映像データ（Ｄ１３・Ｄ１４・・・Ｄ２４）に対応するマイナス極性の信号電位を順次データ信号線ＳＬ１に供給し、ついでグループＧｒ３を選択してグループＧｒ３に属する走査信号線（Ｇ２５・Ｇ２６・・・Ｇ４８）を順次水平走査するのに対応して、映像データ（Ｄ２５・Ｄ２６・・・Ｄ４８）に対応するプラス極性の信号電位を順次データ信号線ＳＬ１に供給する。なお、データ信号線に１つの映像データに対応する信号電位を供給（出力）する期間を水平走査期間（Ｈ）とする。
【００８８】
そして、第１ダミー走査期間に、後グループで１番目に水平走査する走査信号線をダミー走査することにより、該走査信号線を所定期間アクティブとした後に非アクティブ化する。第１ダミー走査期間には、第１ダミーデータに対応し、後グループでの信号電位の極性と同極性のダミー電位をデータ信号線に出力する。該第１ダミーデータは、上記走査信号線（後グループ１番目の走査信号線）のダミー走査後直近の水平走査に対応する映像データと同一としている。さらに、第２ダミー走査期間に、後グループで２番目に水平走査する走査信号線をダミー走査することにより、該走査信号線を所定期間アクティブとした後に非アクティブ化する。第２ダミー走査期間には、第２ダミーデータに対応し、後グループでの信号電位の極性と同極性のダミー電位をデータ信号線に供給する。該第２ダミーデータは、上記走査信号線（後グループ２番目の走査信号線）のダミー走査後直近の水平走査に対応する映像データと同一としている。
【００８９】
ここでは、各水平走査期間における水平走査のタイミングと、各ダミー走査期間におけるダミー走査のタイミングとを一致させている。具体的には、水平走査期間の開始（信号電位の出力開始）および終了（信号電位の出力終了）と、これに対応する水平走査の開始（該信号電位の書き込み開始）および終了（該信号電位の書き込み終了）とを一致させるとともに、ダミー走査期間の開始（ダミー電位の出力開始）および終了（ダミー電位の出力終了）と、これに対応するダミー走査の開始（該ダミー電位の書き込み開始）および終了（該ダミー電位の書き込み終了）とを一致させている。
【００９０】
さらに、走査信号線Ｇ１〜Ｇ１０８０に供給されるゲートパルスＧＰ１〜ＧＰ１０８０はそれぞれ、その幅が一水平走査期間（１Ｈ）に等しいパルスであり、各走査信号線は、自段に対応する水平走査の開始と同時にアクティブ化し、ダミー走査される走査信号線（後グループ１・２番目の走査信号線）も自段に対応するダミー走査の開始と同時にアクティブ化する。
【００９１】
例えば、図２３・２５に示すように、グループＧｒ１での最後の水平走査（Ｇ１２の水平走査）に対応する映像データＤ１２と、グループＧｒ２での最初の水平走査（Ｇ１３の水平走査）に対応する映像データＤ１３との間に、第１ダミーデータＤａおよび第２ダミーデータＤｂを挿入するとともに、グループＧｒ１での最後の水平走査に対応する水平走査期間Ｈ１２とグループＧｒ２での最初の水平走査に対応する水平走査期間Ｈ１３との間に、第１ダミー走査期間ＤＳ１および第２ダミー走査期間ＤＳ２を挿入する。
【００９２】
ここでは、水平走査期間Ｈ１２の開始と同時に走査信号線Ｇ１２に供給されるゲートパルスＧＰ１２がアクティブ化し、水平走査期間Ｈ１２の終了と同時にゲートパルスＧＰ１２が非アクティブ化する。水平走査期間Ｈ１２には、映像データＤ１２（走査信号線Ｇ１２に接続する画素に対応する映像データ）に対応し、グループＧｒ１での信号電位の極性と同極性（プラス極性）の信号電位がデータ信号線ＳＬ１に供給される。
【００９３】
ついで、第１ダミー走査期間ＤＳ１の開始と同時に、グループＧｒ２で１番目に水平走査される走査信号線Ｇ１３に供給されるゲートパルスＧＰ１３がアクティブ化し、第１ダミー走査期間ＤＳ１の終了と同時にゲートパルスＧＰ１３が非アクティブ化する。第１ダミー走査期間ＤＳ１には、第１ダミーデータＤａに対応し、グループＧｒ２での信号電位の極性と同極性（マイナス極性）のダミー電位がデータ信号線ＳＬ１に供給される。第１ダミーデータＤａは、走査信号線Ｇ１３のダミー走査後直近の水平走査に対応する映像データＤ１３（次フレームのデータ）と同一としている。したがって、データ信号線ＳＬ１に供給される電位ＶＳＬ１（図２５参照）に示されるように、第１ダミー走査期間ＤＳ１に供給されるダミー電位と水平走査期間Ｈ１３に供給される信号電位とが等しくなっている。
【００９４】
ついで、第２ダミー走査期間ＤＳ２の開始と同時に、グループＧｒ２で２番目に水平走査される走査信号線Ｇ１４に供給されるゲートパルスＧＰ１４がアクティブ化し、第２ダミー走査期間ＤＳ２の終了と同時にゲートパルスＧＰ１４が非アクティブ化する。第２ダミー走査期間ＤＳ２には、第２ダミーデータＤｂに対応し、グループＧｒ２での信号電位の極性と同極性（マイナス極性）のダミー電位がデータ信号線ＳＬ１に供給される。第２ダミーデータＤｂは、走査信号線Ｇ１４のダミー走査後直近の水平走査に対応する映像データＤ１４（次フレームのデータ）と同一としている。したがって、データ信号線ＳＬ１に供給される電位ＶＳＬ１（図２５参照）に示されるように、第２ダミー走査期間ＤＳ２に供給されるダミー電位と水平走査期間Ｈ１４に供給される信号電位とが等しくなっている。
【００９５】
ついで、水平走査期間Ｈ１３の開始と同時に走査信号線Ｇ１３に供給されるゲートパルスＧＰ１３がアクティブ化し、水平走査期間Ｈ１３の終了と同時にゲートパルスＧＰ１３が非アクティブ化する。水平走査期間Ｈ１３には、映像データＤ１３（走査信号線Ｇ１３に接続する画素に対応する映像データ）に対応し、グループＧｒ２での信号電位の極性と同極性（マイナス極性）の信号電位がデータ信号線ＳＬ１に供給される。
【００９６】
データ信号線をブロック反転駆動しながら走査信号線を順次走査する本形態では、各画素への書き込み電位の極性分布が図２６のようになる。
【００９７】
本液晶表示装置によれば、データ信号線をドット反転（１Ｈ反転）駆動させる場合と比較して、ドライバの消費電力や発熱を抑制し、かつ画素充電率も高めることができる。また、データ信号線に供給される信号電位の極性が反転した直後に、第１および第２ダミー走査期間に亘って反転後の極性に等しいダミー電位をデータ信号線に供給するため、各ブロックの１番目の走査信号線に接続する画素の充電率と、他の画素の充電率との差を小さくすることができる。これにより、ブロック反転駆動した場合に視認されるおそれのあるブロック境界近傍の横筋状のムラを抑制することができる。
【００９８】
そして注目すべきは、第１および第２ダミー走査期間それぞれにおいて１本の走査信号線を所定期間アクティブとした後に非アクティブ化することで、各走査信号線の走査について、その走査前および走査開始時並びに走査中における走査信号線駆動回路の負荷状態を揃えることができる点である。
【００９９】
ここで、１本の走査信号線がアクティブ化すると同時にこれとは別の１本の走査信号線が非アクティブ化するときの走査信号線駆動回路の負荷をＬｐ、１本の走査信号線がアクティブとなっているときの走査信号線駆動回路の負荷をＬｙとし、ブロックＢ１・Ｂ２境界近傍に位置する走査信号線Ｇ２４・Ｇ２５・Ｇ２６それぞれの走査開始前および走査開始時並びに走査中における走査信号線駆動回路の負荷状態を、図２７を用いて説明する。
【０１００】
走査信号線Ｇ２４の走査開始前においては、１本の走査信号線Ｇ２３がアクティブとなっているため走査信号線駆動回路の負荷はＬｙとなり、走査信号線Ｇ２４の走査開始時においては、１本の走査信号線Ｇ２４がアクティブ化すると同時にこれとは別の１本の走査信号線Ｇ２３が非アクティブ化するため走査信号線駆動回路の負荷はＬｐとなり、走査信号線Ｇ２４の走査中においては、１本の走査信号線Ｇ２４がアクティブとなっているため走査信号線駆動回路の負荷はＬｙとなる。
【０１０１】
走査信号線Ｇ２５の走査開始前においては、１本の走査信号線Ｇ２６がアクティブとなっているため走査信号線駆動回路の負荷はＬｙとなり、走査信号線Ｇ２５の走査開始時においては、１本の走査信号線Ｇ２５がアクティブ化すると同時にこれとは別の１本の走査信号線Ｇ２６が非アクティブ化するため走査信号線駆動回路の負荷はＬｐとなり、走査信号線Ｇ２５の走査中においては、１本の走査信号線Ｇ２５がアクティブとなっているため走査信号線駆動回路の負荷はＬｙとなる。
【０１０２】
走査信号線Ｇ２６の走査開始前においては、１本の走査信号線Ｇ２５がアクティブとなっているため走査信号線駆動回路の負荷はＬｙとなり、走査信号線Ｇ２６の走査開始時においては、１本の走査信号線Ｇ２６がアクティブ化すると同時にこれとは別の１本の走査信号線Ｇ２５が非アクティブ化するため走査信号線駆動回路の負荷はＬｐとなり、走査信号線Ｇ２６の走査中においては、１本の走査信号線Ｇ２６がアクティブとなっているため走査信号線駆動回路の負荷はＬｙとなる。
【０１０３】
このように、本液晶表示装置では、データ信号線の電位極性反転直後にダミー走査期間を挿入する場合において、水平走査期間における走査信号線駆動回路の負荷状態と、ダミー走査期間における走査信号線駆動回路の負荷状態とを合わせ、各走査信号線の走査について、その走査前および走査開始時並びに走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【０１０４】
また、本液晶表示装置では走査信号線駆動回路の負荷が垂直走査期間中ほぼ常時Ｌｙに保たれ、走査信号線駆動回路の負荷変動自体がほとんどないため、横筋状のムラの抑制がより効果的となっている。また、図２７に示すように負荷がＬｐとなるタイミングを周期的にすることで、横筋状のムラの抑制を一層効果的なものとすることができる。
【０１０５】
なお、図２３〜２５の形態では、各ダミー走査期間は一水平走査期間に等しくしているがこれに限定されない。各ダミー走査期間を一水平走査期間よりも短くしたり、長くしたりしてもよい。
【０１０６】
図２３〜２５の形態では、第１ダミー走査期間に、後グループで１番目に水平走査する走査信号線をダミー走査し、第２ダミー走査期間に、後グループで２番目に水平走査する走査信号線をダミー走査しているが、これに限定されない。例えば、図２８に示すように、第１ダミー走査期間に、後グループで１番目に水平走査する走査信号線をダミー走査することにより、該走査信号線を所定期間アクティブとした後に非アクティブ化し、第２ダミー走査期間に、同一の走査信号線を再度ダミー走査することにより、該走査信号線を所定期間アクティブとした後に非アクティブ化してもよい。
【０１０７】
また、図２３〜２５の形態において、ゲートパルスＧＰ０〜ＧＰ１０８１を、その幅が一水平走査期間の２倍（２Ｈ）に等しいパルスとし、各走査信号線は自段に対応する水平走査直前の水平走査あるいはダミー走査の開始に同期してアクティブ化され、自段に対応する水平走査の終了に同期して非アクティブ化され、ダミー走査される各走査信号線も、自段に対応するダミー水平走査直前の水平走査あるいはダミー水平走査の開始に同期してアクティブ化され、自段に対応するダミー走査の終了に同期して非アクティブ化される構成とすることもできる。この構成のおいても、各水平走査期間における水平走査のタイミングと、各ダミー走査期間におけるダミー走査のタイミングとを一致させている。
【０１０８】
この場合、図２９・３０に示すように、走査信号線Ｇ１２に供給されるゲートパルスＧＰ１２が、走査信号線Ｇ１２に対応する水平走査直前の水平走査の開始、すなわち水平走査期間Ｈ１１の開始と同時にアクティブ化し、水平走査期間Ｈ１１および水平走査期間Ｈ１２の２水平走査期間分アクティブとなって水平走査期間Ｈ１２の終了と同時に非アクティブ化する。水平走査期間Ｈ１１には、映像データＤ１１（走査信号線Ｇ１１に接続する画素に対応する映像データ）に対応し、グループＧｒ１での信号電位の極性と同極性（プラス極性）の信号電位がデータ信号線ＳＬ１に供給される。また、水平走査期間Ｈ１２には、映像データＤ１２（走査信号線Ｇ１２に接続する画素に対応する映像データ）に対応し、グループＧｒ１での信号電位の極性と同極性（プラス極性）の信号電位がデータ信号線ＳＬ１に供給される。すなわち、水平走査期間Ｈ１１でプリチャージが行われ、水平走査期間Ｈ１２の水平走査で本チャージ（映像データＤ１２に対応するプラス極性の信号電位の書き込み）が行われる。
【０１０９】
また、走査信号線Ｇ１３に供給されるゲートパルスＧＰ１３が、そのダミー走査直前の水平走査の開始、すなわち水平走査期間Ｈ１２の開始と同時にアクティブ化し、水平走査期間Ｈ１２および第１ダミー走査期間ＤＳ１の２水平走査期間分アクティブとなって第１ダミー走査期間ＤＳ１の終了と同時に非アクティブ化する。
【０１１０】
また、走査信号線Ｇ１４に供給されるゲートパルスＧＰ１４が、そのダミー走査直前のダミー走査の開始、すなわち第１ダミー走査期間ＤＳ１の開始と同時にアクティブ化し、第１ダミー走査期間ＤＳ１および第２ダミー走査期間ＤＳ２の２水平走査期間分アクティブとなって第２ダミー走査期間ＤＳ２の終了と同時に非アクティブ化する。
【０１１１】
また、走査信号線Ｇ１３に供給されるゲートパルスＧＰ１３が、走査信号線Ｇ１３に対応する水平走査直前のダミー走査の開始、すなわち第２ダミー走査期間ＤＳ２の開始と同時にアクティブ化し、第２ダミー走査期間ＤＳ２および水平走査期間Ｈ１３の２水平走査期間分アクティブとなって水平走査期間Ｈ２の終了と同時に非アクティブ化する。
【０１１２】
第２ダミー走査期間ＤＳ２には、第２ダミーデータＤｂに対応し、グループＧｒ２での信号電位の極性と同極性（マイナス極性）の信号電位がデータ信号線ＳＬ１に供給される。水平走査期間Ｈ１３には、映像データＤ１３（走査信号線Ｇ１３に接続する画素に対応する映像データ）に対応し、グループＧｒ２での信号電位の極性と同極性（プラス極性）の信号電位がデータ信号線ＳＬ１に供給される。すなわち、ダミー走査期間ＤＳ２でプリチャージが行われ、水平走査期間Ｈ１３の水平走査で本チャージ（映像データＤ２に対応するプラス極性の信号電位の書き込み）が行われる。
【０１１３】
図２９・３０に示す形態でも、ここで、１本の走査信号線がアクティブの状態で、これとは別の１本の走査信号線がアクティブ化すると同時にさらに別の１本の走査信号線が非アクティブ化するときの走査信号線駆動回路の負荷をＬｑ、１本の走査信号線とこれとは別の１本の走査信号線とがアクティブになっているときの走査信号線駆動回路の負荷をＬｚとすれば、図３１に示すように、水平走査期間における走査信号線駆動回路の負荷状態と、ダミー走査期間における走査信号線駆動回路の負荷状態とを合わせ、各走査信号線の走査について、その走査前および走査中における走査信号線駆動回路の負荷状態を揃えることができる。これにより、電位極性反転前後に水平走査される走査信号線に接続する画素と他の画素との充電率の差をさらに低減し、ブロック境界近傍の横筋状のムラをさらに抑制することができる。
【０１１４】
また、本形態でも走査信号線駆動回路の負荷が垂直走査期間中ほぼ常時Ｌｙに保たれ、走査信号線駆動回路の負荷変動自体がほとんどないため、横筋状のムラの抑制がより効果的となっている。また、図３１に示すように負荷がＬｑとなるタイミングを周期的にすることで、横筋状のムラの抑制を一層効果的なものとすることができる。さらに、本構成では、各画素に一水平期間期間分のプリチャージが行われるため、各画素の充電率を高めることができる。なお、図２９・３０の形態では、各ダミー走査期間は一水平走査期間に等しくしているがこれに限定されない。各ダミー走査期間を一水平走査期間よりも短くしたり、長くしたりしてもよい。
【０１１５】
図３３は、本液晶表示装置の構成を示すブロック図である。同図に示されるように、本液晶表示装置は、表示部（液晶パネル）と、ソースドライバと、ゲートドライバと、バックライトと、バックライト駆動回路と、表示制御回路とを備えている。ソースドライバはデータ信号線を駆動し、ゲートドライバは走査信号線を駆動し、表示制御回路は、ソースドライバ、ゲートドライバおよびバックライト駆動回路を制御する。
【０１１６】
表示制御回路は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路は、受け取ったこれらの信号Ｄｖ，ＨＳＹ，ＶＳＹ，Ｄｃに基づき、そのデジタルビデオ信号Ｄｖの表す画像を表示部に表示させるための信号として、データスタートパルス信号ＳＳＰと、データクロック信号ＳＣＫと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥと、データ信号線に供給する信号電位の極性を制御する極性反転信号ＰＯＬとを生成し、これらを出力する。
【０１１７】
より詳しくは、ビデオ信号Ｄｖを内部メモリで必要に応じてタイミング調整等を行った後に、デジタル画像信号ＤＡとして表示制御回路から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきゲートドライバ出力制御信号ＧＯＥを生成する。
【０１１８】
上記のようにして表示制御回路において生成された信号のうち、デジタル画像信号ＤＡ、極性反転信号ＰＯＬ、データスタートパルス信号ＳＳＰ、およびデータクロック信号ＳＣＫは、ソースドライバに入力され、ゲートスタートパルス信号ＧＳＰとゲートクロック信号ＧＣＫとゲートドライバ出力制御信号ＧＯＥとは、ゲートドライバに入力される。
【０１１９】
ソースドライバは、デジタル画像信号ＤＡ、データクロック信号ＳＣＫ、データスタートパルス信号ＳＳＰ、および極性反転信号ＰＯＬに基づき、デジタル画像信号ＤＡの表す画像の各走査信号線における画素値に相当するアナログ電位としてのデータ信号を１水平走査期間毎に順次生成し、これらのデータ信号をデータ信号線（ＳＬ１・ＳＬ２）に出力する。
【０１２０】
ゲートドライバは、ゲートスタートパルス信号ＧＳＰおよびゲートクロック信号ＧＣＫと、ゲートドライバ出力制御信号ＧＯＥとに基づき、走査信号を生成し、これらを走査信号線に出力し、これによって走査信号線を選択的に駆動する。
【０１２１】
上記のようにソースドライバおよびゲートドライバにより表示部（液晶パネル）のデータ信号線および走査信号線が駆動されることで、選択された走査信号線に接続されたＴＦＴを介して、データ信号線から画素電極に信号電位が書き込まれる。これにより各画素の液晶層にデジタル画像信号ＤＡに応じた電圧が印加され、その電圧印加によってバックライトからの光の透過量が制御され、デジタルビデオ信号Ｄｖの示す画像が画素に表示される。
【０１２２】
液晶表示装置８００でテレビジョン放送に基づく画像を表示する場合には、図３４に示すように、液晶表示装置８００にチューナ部９０が接続され、これによって本テレビジョン受像機６０１が構成される。このチューナ部９０は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置８００に入力され、この複合カラー映像信号Ｓｃｖに基づく画像が該液晶表示装置８００によって表示される。
【０１２３】
本願でいう電位の極性とは、その電位が基準となる電位以上なのか以下なのかを示すものであり、プラス極性の電位とは基準となる電位以上の電位を、マイナス極性とは基準となる電位以下の電位を意味する。ここで、基準となる電位は、共通電極（対向電極）の電位であるＶｃｏｍ（コモン電位）であってもその他任意の電位であってよい。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２５】
本発明の液晶表示装置は、例えば液晶テレビに好適である。
【符号の説明】
【０１２６】
Ｇ１〜Ｇ１０８０  走査信号線
Ｇｒ１〜Ｇｒ４６  グループ
Ｂ１〜Ｇ４５  ブロック
Ｐ１〜Ｐ１０８０  画素
Ｄ１〜Ｄ１０８０  映像データ
Ｄａ・Ｄｂ・Ｄｃ・Ｄｄ  ダミーデータ
Ｈ１〜Ｈ１０８０  水平走査期間
ＤＳ１  第１ダミー走査期間
ＤＳ２  第２ダミー走査期間
ＳＬ１  ＳＬ２  データ信号線
ＰＬ１  ＰＬ２  画素列
６０１  テレビジョン受像機
８００  液晶表示装置
【図１】
2010061685.tif 000003
【図２】
2010061685.tif 000004
【図３】
2010061685.tif 000005
【図４】
2010061685.tif 000006
【図５】
2010061685.tif 000007
【図６】
2010061685.tif 000008
【図７】
2010061685.tif 000009
【図８】
2010061685.tif 000010
【図９】
2010061685.tif 000011
【図１０】
2010061685.tif 000012
【図１１】
2010061685.tif 000013
【図１２】
2010061685.tif 000014
【図１３】
2010061685.tif 000015
【図１４】
2010061685.tif 000016
【図１５】
2010061685.tif 000017
【図１６】
2010061685.tif 000018
【図１７】
2010061685.tif 000019
【図１８】
2010061685.tif 000020
【図１９】
2010061685.tif 000021
【図２０】
2010061685.tif 000022
【図２１】
2010061685.tif 000023
【図２２】
2010061685.tif 000024
【図２３】
2010061685.tif 000025
【図２４】
2010061685.tif 000026
【図２５】
2010061685.tif 000027
【図２６】
2010061685.tif 000028
【図２７】
2010061685.tif 000029
【図２８】
2010061685.tif 000030
【図２９】
2010061685.tif 000031
【図３０】
2010061685.tif 000032
【図３１】
2010061685.tif 000033
【図３２】
2010061685.tif 000034
【図３３】
2010061685.tif 000035
【図３４】
2010061685.tif 000036
【図３５】
2010061685.tif 000037
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
複数の走査信号線と、データ信号線とを備え、連続する複数の水平走査期間からなる第１期に、上記データ信号線に対して第１極性の信号電位が供給される一方、該第１期に続く、連続する複数の水平走査期間からなる第２期に、上記データ信号線に対して第２極性の信号電位が供給され、第１期と第２期との間に設けられたダミー走査期間に、第１および第２期に含まれる複数の水平走査期間それぞれにおいてアクティブとされる走査信号線と同数の走査信号線がアクティブとされることを特徴とする液晶表示装置。
【請求項２】
上記ダミー走査期間にアクティブとされた走査信号線が、第２期内または第２期後の水平走査期間にもアクティブとされることを特徴とする請求項１記載の液晶表示装置。
【請求項３】
上記ダミー走査期間にアクティブとされた走査信号線が、第２期内の、１番目以外の水平走査期間にもアクティブとされることを特徴とする請求項２記載の液晶表示装置。
【請求項４】
ダミー走査期間に、上記データ信号線に対して第２極性のダミー電位が供給されることを特徴とする請求項１記載の液晶表示装置。
【請求項５】
飛び越し走査が行われることを特徴とする請求項１記載の液晶表示装置。
【請求項６】
表示部の走査信号線が複数本ずつグループとされるとともに各グループが順に選択され、選択されたグループに属する走査信号線が順次水平走査されるのに対応して順次同極性の信号電位がデータ信号線に供給される液晶表示装置であって、
前後して選択される前グループと後グループとで上記信号電位の極性が反転するとともに、前グループの最後の水平走査に対応する水平走査期間と後グループでの最初の水平走査に対応する水平走査期間との間にダミー走査期間が挿入され、
該ダミー走査期間に、前グループよりも後に選択されるグループに属する走査信号線がダミー走査されることによって該走査信号線が所定期間アクティブとされた後に非アクティブ化され、
表示部内の所定の走査信号線を数えはじめの１番目の走査信号線とした場合に、上記前グループおよび後グループの一方には奇数番目の走査信号線のみが含まれ、他方には偶数番目の走査信号線のみが含まれることを特徴とする液晶表示装置。
【請求項７】
表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
最初に選択されるグループは最上流ブロックに含まれる奇数番目の走査信号線で構成されるか、あるいは最上流ブロックに含まれる偶数番目の走査信号線で構成され、
最後に選択されるグループは最下流ブロックに含まれる奇数番目の走査信号線で構成されるか、あるいは最下流ブロックに含まれる偶数番目の走査信号線で構成され、
その他のグループは、隣り合う２つのブロックに含まれる偶数番目の走査信号線で構成されるか、あるいは隣り合う２つのブロックに含まれる奇数番目の走査信号線で構成されるとともに、上流側のグループから順に選択されることを特徴とする請求項６に記載の液晶表示装置。
【請求項８】
表示部における上記所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
各ブロックに含まれる奇数番目の走査信号線を前グループとするとともに偶数番目の走査信号線を後グループとして最上流ブロックに含まれるグループから順に最下流ブロックに含まれるグループまで選択されるか、あるいは各ブロックに含まれる偶数番目の走査信号線を前グループとするとともに奇数番目の走査信号線を後グループとして最上流ブロックに含まれるグループから順に最下流ブロックに含まれるグループまで選択されることを特徴とする請求項６に記載の液晶表示装置。
【請求項９】
表示部の走査信号線が複数本ずつグループとされるとともに各グループが順に選択され、選択されたグループに属する走査信号線が順次水平走査されるのに対応して順次同極性の信号電位がデータ信号線に供給される液晶表示装置であって、
前後して選択される前グループと後グループとで上記信号電位の極性が反転するとともに、前グループの最後の水平走査に対応する水平走査期間と後グループでの最初の水平走査に対応する水平走査期間との間にダミー走査期間が挿入され、
該ダミー走査期間に、前グループよりも後に選択されるグループに属する走査信号線がダミー走査されることによって該走査信号線が所定期間アクティブとされた後に非アクティブ化され、
表示部における所定の走査信号線以降の領域を走査信号線に平行な複数の境界によってブロック化し、上記所定の走査信号線を含む、一方端にあたるブロックを最上流ブロック、他方端にあたるブロックを最下流ブロックとした場合に、
各ブロックに含まれる走査信号線がグループ化され、最上流ブロックのグループから順に最下流ブロックのグループまで選択されることを特徴とする液晶表示装置。
【国際調査報告】
2010061685.tif 000038
2010061685.tif 000039
2010061685.tif 000040
2010061685.tif 000041
2010061685.tif 000042
2010061685.tif 000043
2010061685.tif 000044
2010061685.tif 000045